(57)【要約】【課題】  撮影した画像（静止画ファイル）に添付された情報（カメラメモ情報）をダイレクトに印刷することができる装置を提供する。【解決手段】  SDカード２０に格納されているカメラメモ情報はユーザの操作によって選択可能となり、選択されたカメラメモ情報は、撮影処理の必要なヘッダー処理を行う箇所で、カメラメモ情報として取込んだ画面情報と一緒に内蔵MEMORY５等に記録される。図５のOSD画面表示例では、撮影情報画面として、前記格納されたカメラメモ情報の表示とキーの案内が表示され、キーの案内に従って、グルーピング印刷を指定すると、カメラメモ情報で静止画ファイルをグルーピングし、グルーピングされた静止画ファイルは外部プリンタ装置２１でダイレクトプリントすることが可能となる。また、図１６のように印刷対象の静止画ファイルと合成してカメラメモ情報をダイレクトプリントすることが可能となる。【選択図】  図５
2006254125.tif 000002
【特許請求の範囲】
【請求項１】
直接外部機器にプリントアウトすることのできる通信手段と、
記録媒体に記録されている静止画ファイル内のカメラメモ情報を表示する手段と、
前記記録媒体に記録されている静止画ファイル内のカメラメモ情報を検索する手段と、
前記記録媒体に記録されている静止画ファイルを同一カメラメモ情報でグルーピングする手段と、
前記同一カメラメモ情報で前記グルーピングされた静止画ファイルを前記外部機器に直接プリントアウトする手段と、を有する画像処理装置のダイレクトプリント方式。
【請求項２】
前記記録媒体に記録されている前記カメラメモ情報を変更する手段を有することを特徴とする請求項１記載の画像処理装置のダイレクトプリント方式。
【請求項３】
前記プリントアウトする手段として、同一カメラメモ情報でグルーピングされた静止画ファイルをグルーピングされた順番で外部機器に直接プリントアウトする手段を有することを特徴とする請求項１又は２記載の画像処理装置のダイレクトプリント方式。
【請求項４】
前記プリントアウトする際に、プリントアウトするフォーマットを選択する手段を有することを特徴とする請求項１から３のいずれか１項記載の画像処理装置のダイレクトプリント方式。
【請求項５】
直接外部機器にプリントアウトすることのできる通信手段と、
記録媒体に記録されている静止画ファイル内のカメラメモ情報を取得する手段と、
前記取得したカメラメモ情報から画像データを作成する手段と、
前記作成した画像データと静止画ファイルの画像を１枚の静止画ファイルとして合成する手段と、
前記合成された静止画ファイルを前記外部機器に直接プリントアウトする手段と、を有する画像処理装置のダイレクトプリント方式。
【請求項６】
前記合成する手段は、前記作成した画像データを静止画ファイルの画像と重ならないように、１枚の静止画ファイルとして合成することを特徴とする請求項５記載の画像処理装置のダイレクトプリント方式。
【請求項７】
前記合成する手段は、前記作成した画像データを静止画ファイルの画像と重ねて１枚の静止画ファイルとして合成することを特徴とする請求項５記載の画像処理装置のダイレクトプリント方式。
【請求項８】
前記プリントアウトする手段は、前記カメラメモ情報の画像データと静止画ファイルを連続して別途に前記外部機器に直接プリントアウトすることを特徴とする請求項５から７のいずれか１項記載の画像処理装置のダイレクトプリント方式。
【請求項９】
前記カメラメモ情報から画像データを作成する手段は、複数のカメラメモ情報から１枚の画像データを作成することを特徴とする請求項５から８のいずれか１項記載の画像処理装置のダイレクトプリント方式。
【請求項１０】
複数の、前記合成手段により合成された静止画ファイルを１枚の画像データに作成する手段を有することを特徴とする請求項５から９のいずれか１項記載の画像処理装置のダイレクトプリント方式。
【発明の詳細な説明】
【技術分野】
【０００１】
本発明は、画像処理装置、特にカメラメモ情報を利用した画像処理装置のダイレクトプリント方式に関する。
【背景技術】
【０００２】
近年、デジタルカメラは小型化・高性能化・低価格化が進み、急速に普及している。デジタルカメラはＰＣ等と接続する機能も有し、ＰＣ等を介して撮影画像がプリントアウトされる。このような機能を有効に活用するため、画像処理装置やデジタルカメラ装置の撮影方式として、様々な情報を、撮影した画像と一緒に記録する方式が提案されている（特許文献１）。画像と一緒に添付された情報は、ＰＣ等に転送され、様々な後処理を行うための情報として利用される。
【０００３】
また、画像処理装置や、デジタルカメラ装置から直接外部機器にプリントアウトするダイレクトプリント技術が提案されている（特許文献２）。ダイレクトプリント技術により、通常PCなどを介してプリントアウトしていた静止画ファイルなどが、画像処理装置やデジタルカメラ装置から直接外部機器にプリントアウトされ、プリントアウトの利便性を向上させている。
【特許文献１】特開２００２−１５８９５３号公報
【特許文献２】特開平１１−１０９５１８号公報
【発明の開示】
【発明が解決しようとする課題】
【０００４】
しかしながら、撮影した画像（静止画ファイル）に添付された情報（カメラメモ情報）をダイレクトに印刷することができず、当該情報の有効利用が図れずにいた。
【０００５】
本発明はこのような状況に鑑みてなされたものであり、かかる問題を解決することを前提とし、ダイレクトプリント技術の更なる利便性の向上を可能とした画像処理装置のダイレクトプリント方式を提供することを目的としている。
【課題を解決するための手段】
【０００６】
かかる目的を達成するために、本発明は以下の特徴を有する。
【０００７】
請求項１記載の発明は、直接外部機器にプリントアウトすることのできる通信手段と、記録媒体に記録されている静止画ファイル内のカメラメモ情報を表示する手段と、記録媒体に記録されている静止画ファイル内のカメラメモ情報を検索する手段と、記録媒体に記録されている静止画ファイルを同一カメラメモ情報でグルーピングする手段と、前記同一カメラメモ情報で前記グルーピングされた静止画ファイルを前記外部機器に直接プリントアウトする手段と、を有する画像処理装置のダイレクトプリント方式である。
【０００８】
請求項２記載の発明は、請求項１記載の方式において、記録媒体に記録されている前記カメラメモ情報を変更する手段を有することを特徴とする。
【０００９】
請求項３記載の発明は、請求項１又は２記載の方式において、前記プリントアウトする手段として、同一カメラメモ情報でグルーピングされた静止画ファイルをグルーピングされた順番で外部機器に直接プリントアウトする手段を有することを特徴とする。
【００１０】
請求項４記載の発明は、請求項１から３のいずれか１項記載の方式において、前記プリントアウトする際に、プリントアウトするフォーマットを選択する手段を有することを特徴とする。
【００１１】
請求項５記載の発明は、直接外部機器にプリントアウトすることのできる通信手段と、記録媒体に記録されている静止画ファイル内のカメラメモ情報を取得する手段と、前記取得したカメラメモ情報から画像データを作成する手段と、前記作成した画像データと静止画ファイルの画像を１枚の静止画ファイルとして合成する手段と、前記合成された静止画ファイルを前記外部機器に直接プリントアウトする手段と、を有する画像処理装置のダイレクトプリント方式である。
【００１２】
請求項６記載の発明は、請求項５記載の方式において、前記合成する手段は、前記作成した画像データを静止画ファイルの画像と重ならないように、１枚の静止画ファイルとして合成することを特徴とする。
【００１３】
請求項７記載の発明は、請求項５記載の方式において、前記合成する手段は、前記作成した画像データを静止画ファイルの画像と重ねて１枚の静止画ファイルとして合成することを特徴とする。
【００１４】
請求項８記載の発明は、請求項５から７のいずれか１項記載の方式において、前記プリントアウトする手段は、前記カメラメモ情報の画像データと静止画ファイルを連続して別途に前記外部機器に直接プリントアウトすることを特徴とする。
【００１５】
請求項９記載の発明は、請求項５から８のいずれか１項記載の方式において、前記カメラメモ情報から画像データを作成する手段は、複数のカメラメモ情報から１枚の画像データを作成することを特徴とする。
【００１６】
請求項１０記載の発明は、請求項５から９のいずれか１項記載の方式において、複数の、前記合成手段により合成された静止画ファイルを１枚の画像データに作成する手段を有することを特徴とする。
【発明の効果】
【００１７】
本発明によれば、ユーザは、静止画ファイルに添付されている情報毎にグルーピングされたプリントアウトが可能となる。また、静止画ファイルに添付されているメタ情報と静止画ファイルの関連性を容易に知ることができ、メタ情報のダイレクトプリントの利便性を向上させることを可能にしている。
【発明を実施するための最良の形態】
【００１８】
以下に、本発明の実施形態に係るデジタルカメラ装置のダイレクトプリント方式を、図面を用いて詳細に説明する。
【００１９】
図１に、本発明の実施形態に係るデジタルカメラ装置のハードウエアの構成図を示す。
【００２０】
図１に示したデジタルカメラ装置は、SYSTEM BUS１と、CPU２と、プログラムを格納するPROM３と、プログラムやデータのワーク領域のRAM４と、撮影された画像ファイルや、システムファイルや、データファイルなどを格納する内蔵MEMORY５と、ハードキーを検出するKEY I/F制御部６と、シャッターや、ズームキーなどのハードKEY７と、カメラ部９と、カメラ部９を制御するカメラ制御部８と、カメラ制御部８から取り込まれた画像をＪＰＥＧに圧縮したり、メモリに格納されているＪＰＥＧデータを解凍したりする画像伸張圧縮制御部１２と、カメラ制御部８からの画像データや、画像伸張圧縮制御部１２からの画像データをLCD部１１に映像信号として出力したりする画像制御部１０と、ＵＳＢ Ｉ／Ｆ制御部１３と、プリンタ装置２１とを接続するUSBケーブル１４と、CF（Compact Flash）制御部１５と、ＣＦ Ｉ／Ｆ１６と、ＣＦ Ｉ／Ｆ１６に挿入される通信カード１７と、ＳＤ制御部１８と、ＳＤ Ｉ／Ｆ １９と、ＳＤ Ｉ／Ｆ １９に挿入されるＳＤカード２０と、USBケーブル１４若しくは通信カード１７経由でデジタルカメラ装置と接続されるプリンタ装置２１から構成されている。
【００２１】
通常の撮影は、ハードKEY７で撮影開始が認識される。カメラ部９で画像を取込む。カメラ部９から出力される画像信号を、画像制御部１０がRGBデータや、YcbCrデータなどのフレームデータに変換し必要な画像処理を行った後、画像データをＲＡＭ４に転送する。転送された画像データは画像伸長圧縮制御部１２で、JPEGなどの画像データに圧縮され再びＲＡＭ４に転送される。RAM４に格納されたJPEGなどの画像データは、必要なヘッダー処理を行った後、内蔵MEMORY５もしくはSD制御部１８を介してSDカード２０に記録される。
【００２２】
カメラメモ機能について説明する。SDカード２０には、カメラメモ情報が格納されている。デジタルカメラ装置は、電源ONのシステム起動時に、SDカード２０に事前に格納されているカメラメモ情報を、RAM４にロードしてシステム内に取込む。取込まれたカメラメモ情報は、ユーザの操作によって選択可能とされる。選択されたカメラメモ情報は、上記の撮影処理の必要なヘッダー処理を行う箇所で、カメラメモ情報として、取込んだ画像情報と一緒に、内蔵MEMORY５もしくはSD制御部１８を介してSDカード２０に記録される。
【００２３】
ダイレクトプリント機能では、内蔵MEMORY５もしくは、SDカード２０に格納されている静止画ファイルが、CF I/F１６に挿入されている通信カード１７経由で、もしくはUSBケーブル１４経由で、PCなどを介さず直接プリンタ装置２１にプリントされる。
【００２４】
なお、ダイレクトプリントの際、CF I/F１６に挿入されている通信カード１７は、通信内蔵モジュールとして、デジタルカメラ装置内に設けることも可能である。また、USBケーブル１４は、他のI/Fでも良い。すなわち無線通信、有線通信にかかわらず直接プリンタ装置２１に静止画ファイルを送信してプリントする機能をダイレクトプリンタ機能とする。
【００２５】
図２に本発明の一実施形態であるデジタルカメラ装置のソフトウエアの構成図を示す。
【００２６】
図２に示したデジタルカメラ装置２２のソフトウエアは、アプリケーション２３と、DPS（ダイレクト・プリント・サービス）アプリケーション２４と、PTP（ピクチャー・トランスファー・プロトコル）トランスポート２５と、USBドライバー２６から構成されている。
【００２７】
プリンタ装置２１は、アプリケーション２７と、DPS（ダイレクト・プリント・サービス）アプリケーション２８と、PTP（ピクチャー・トランスファー・プロトコル）トランスポート２９と、USBドライバー３０から構成されている。
【００２８】
本実施形態は、USBケーブル１４経由の有線でのダイレクトプリント規格の一つであるDPS規格に準拠した場合のソフトウエア構成を示す。
【００２９】
図３に本発明の実施形態であるデジタルカメラ装置のソフトウエアの構成図を示す。
【００３０】
図３に示したデジタルカメラ装置２２のソフトウエアは、アプリケーション２３と、BIP（Basic Image Profile）クライアント３１と、Bluetoothプロトコル３２と、CFドライバー３３から構成されている。
【００３１】
図３に示したプリンタ装置２１は、アプリケーション２７と、BIP（Basic Image Profile）サーバ３４と、Bluetoothプロトコル３５と、Bluetoothドライバー３６から構成されている。
【００３２】
本実施形態は、通信カード１７経由の無線でのダイレクトプリント規格の一つであるBluetooth規格に準拠した場合のソフトウエア構成を示す。
【００３３】
ソフトウエアの構成として、有線、無線の代表的な規格を示したが、他規格でダイレクトプリントを実現するものや、独自の方式でダイレクトプリントを実現するものも含まれる。
【００３４】
図４に本発明の実施形態である、カメラメモ情報のフォーマットを示す。
【００３５】
カメラメモ情報は、中項目部と、小項目部とに分かれる。図４の[1]会社名、[2]所属事業部、[3]所属部署、[4]担当業務、[5]担当が中項目に該当する。中項目の下には小項目がリンクされる。例えば、図４の[1]会社名の下には、株式会社AAA、（株）BBB、CCC（株）、（株）DDD、（株）EEE、（株）FFF、（株）GGG、（株）HHHが属することを示す。
【００３６】
本カメラメモ情報は、上記でも説明したように、事前に図１のSDカード２０に格納されている。デジタルカメラ装置は、電源ONのシステム起動時に、SDカード２０に事前に格納されているカメラメモ情報を、図１のRAM４にロードしてシステム内に取込む。
【００３７】
カメラメモ撮影は、通常撮影のモニタリング表示画面で、図１のハードKEY８のレリーズキーを押すことによって撮影が可能となる。カメラメモデータは、図１のLCD１１に表示可能で、現在選択されている中項目・小項目のカメラメモデータの一覧が表示される。カメラメモデータ表示中は、例えば図１のハードKEY８の上下キー等を使用して、任意の項目を選択することが出来る。
【００３８】
ユーザが、静止画ファイルに添付する任意のカメラメモデータを、ＳＤカード２０に格納されているカメラメモデータから任意に選択する。撮影した静止画ファイルのヘッダー情報に、当該任意のカメラメモデータを書込まれ、静止画ファイルとカメラメモ情報が一緒に内蔵MEMORY５やSDカード２０に格納されることが可能である。
【００３９】
カメラメモ情報の構造は一実施形態である。上記のように中項目・小項目といった階層を持つものに限らず、更なる階層を持つものも含まれる。本実施形態においては、選択したカメラメモ情報を、撮影された静止画ファイルのヘッダーに設定し、内蔵MEMORYやSDカードなどのメモリに、共に記録される機能をカメラメモ機能とする。
【００４０】
図５に本発明の一実施形態である、カメラメモ情報のグルーピング印刷のOSD画面表示例を示す。
【００４１】
図５のOSD画像表示例は、撮影メモ情報画面である。静止画ファイルのヘッダーに格納されているカメラメモ情報の表示と、キーの案内表示から構成されている。図５の実施形態では、ハードKEY８のOKキーが、グルーピング印刷を指定するキーであることを案内する表示を例として挙げている。
【００４２】
図１０に、当該カメラメモ情報のグルーピング印刷のフローを示す。
【００４３】
静止画ファイルの再生処理が開始されると、指定された静止画ファイルが再生される（ステップＳ１０１）。
【００４４】
再生された静止画ファイルにカメラメモ情報が有れば（ステップＳ１０２／Ｙｅｓ）、図５に示したように撮影メモ情報画面においてカメラメモ情報も表示される（ステップＳ１０３）。カメラメモ情報が無い場合は（ステップＳ１０２／Ｎｏ）、次静止画再生（ステップＳ１０７）へ進む。
【００４５】
表示されているカメラメモ情報のグルーピング印刷が指定された場合は（ステップＳ１０４）、表示されているカメラメモ情報と同じ情報を持った静止画ファイルが存在するかどうか、静止画ファイルが記録されている記憶装置を検索する（ステップＳ１０５）。該当する静止画ファイルが存在した場合は、外部のプリンタ装置に対してダイレクトプリント処理を実行する（ステップＳ１０６）。プリント処理が完了したら、元の静止画ファイルの再生処理を再度実行する（ステップＳ１０１）。
【００４６】
カメラメモ情報をグルーピング印刷指定しない場合は、次静止画を再生するかどうか選択する（ステップＳ１０７）。再生する場合（ステップＳ１０７／Ｙｅｓ）はステップＳ１０１からステップＳ１０６の処理が行われる。次静止画を再生しない場合（ステップＳ１０８／Ｎｏ）、静止画再生処理を終了するかどうか選択する（Ｓ１０８）。終了させる場合は（Ｓ１０８／Ｙｅｓ）再生処理が終了する。終了しない場合は（Ｓ１０８／Ｎｏ）、Ｓ１０４に再び戻る。
【００４７】
次に、本発明に係る他の実施形態を説明する。図６のカメラメモ情報グルーピング印刷のOSD画面表示例および図１１のフロー図を用いる。
【００４８】
図６のOSD画面表示例では、図５で示したOSD画面表示例に、例えばハードＫＥＹ８の→キーを加えて表示した撮影メモ情報画面と、当該→キーで項目選択画面に遷移した場合の項目選択画面を示す。項目選択画面は、例えば、ハードＫＥＹ８の↑↓キーで、[1]会社名 に該当する項目を選択可能とし、ハードＫＥＹ８のOKキーで内容を確定して、撮影メモ情報画面に復帰する。
【００４９】
図１１に本発明の実施形態である、カメラメモのグルーピング印刷のフロー図を示す。
【００５０】
処理が開始されると、システム内にカメラメモ情報が格納されているかを判定し（ステップＳ１１１）、カメラメモ情報が有る場合は（ステップＳ１１１／Ｙｅｓ）、図６に示したようなOSD画面を表示する（ステップＳ１１２）。
【００５１】
カメラメモ項目に変更指定を行う場合は（ステップＳ１１３／Ｙｅｓ）、カメラメモ項目選択画面が表示される（ステップＳ１１４）。カメラメモ情報表示画面からは、カメラメモ情報項目選択画面に遷移可能で、カメラメモ情報項目を変更した後、カメラメモ情報表示画面に復帰可能とする。
【００５２】
カメラメモ項目変更処理が終了し（ステップＳ１１５／Ｙｅｓ）、表示されているカメラメモ情報のグルーピング印刷が指定された場合は（ステップＳ１０４／Ｙｅｓ）、表示されているカメラメモ情報と同じ情報を持った静止画ファイルが存在するかどうか、静止画ファイルが記録されている記憶装置を検索する（ステップＳ１０５）。該当する静止画ファイルが存在した場合は、外部のプリンタ装置に対してダイレクトプリント処理を実行する（ステップＳ１０６）。
【００５３】
次に、本発明に係る他の実施形態を説明する。図７のカメラメモ情報グルーピング印刷のOSD画面表示例および図１２のフロー図を用いて説明する。
【００５４】
図７のOSD画面表示例は、静止画ファイルを再生し、静止画ファイルのダイレクトプリント方式を選択する画面構成になっている。「１ファイル印刷」を選択した場合は、表示されている静止画ファイルをプリントアウトする。「一括印刷」を選択した場合は、記録媒体に記録されている全ての静止画ファイルをプリントアウトする。
【００５５】
図１２では、例として一括印刷処理の動作をフローで示している。一括印刷処理が開始されると、記録媒体に記録されている静止画ファイルのカメラメモ情報の検索処理を開始する（ステップＳ１２１）。次にカメラメモ情報毎に静止画ファイルをグルーピング処理する（ステップＳ１２２）。次にグルーピングされた静止画ファイル毎に静止画ファイルをプリントアウトする（ステップＳ１２４）。全ての静止画ファイルをプリントアウトすると（ステップＳ１２５）、処理を終了する。
【００５６】
次に、本発明に係る他の実施形態を、図８、図９および図１３を用いて説明する。
【００５７】
図８には、実施形態であるカメラメモのグルーピング印刷のOSD画面表示例を示す。図９には、プリントフォーマット例を示す。図１３は、実施形態の動作を示したフロー図である。
【００５８】
図８のOSD画面表示例は、静止画ファイルを印刷する場合のプリントフォーマットを選択する画面構成になっている。プリントフォーマットとしては、インデックスプリント、スタンダードプリント、４コマプリント、９コマプリントおよび１６コマプリントが選択可能となっている。例えば、９コマプリントを選択した場合は、図９に示したようなフォーマットでプリントアウトされる。１ページ目がグループＡ、２ページ目がグループＢ、３ページ目がグループＣ、４ページ目がグループＤと、グルーピングされている。
【００５９】
図１３では、例として一括印刷処理の動作をフローで示している。一括印刷処理が開始後、印刷するプリントフォーマットを選択する（Ｓ１２１）。プリントフォーマットが選択された後（Ｓ１２１／Ｙｅｓ）、記録媒体に記録されている静止画ファイルのカメラメモ情報の検索処理が開始される（ステップＳ１２２）。次にカメラメモ情報毎に静止画ファイルがグルーピングされる（ステップＳ１２３）。次にグルーピングされた静止画ファイル毎に静止画ファイルが指定のフォーマットでプリントアウトされる（ステップＳ１３２）。全ての静止画ファイルをプリントアウトすると（ステップＳ１２５）処理を終了する。
【００６０】
次に、本発明に係る他の実施形態を、図１４、図１５を用いて説明する。
【００６１】
図１４には、本発明に係る実施形態であるカメラメモ情報の印刷例を示す。図１５は、本発明に係る実施形態の動作を示したフロー図である。
【００６２】
図１４の印刷例は、静止画ファイルの表示とカメラメモ情報の表示から構成されている。本実施形態では、静止画ファイルの上部にカメラメモ情報を添付し、重ならないように表示されている。図１４の着色部分は、静止画ファイルが表示されている部分である。
【００６３】
次に図１５のフロー図で説明する。印刷処理が開始されると、カメラメモ有り／無しの判定が行われ（ステップＳ１０１）、カメラメモが有る場合は（ステップＳ１０１／Ｙｅｓ）、図５に示したような画面で、カメラメモ情報が表示される（ステップＳ１０３）。次にカメラメモ情報と、該当する静止画ファイルを、第１４図の印刷例のように静止画ファイルの上部に添付し（ステップＳ１５１）、１枚の静止画ファイルとされた後、外部のプリンタ装置に対してダイレクトプリントが実行される（ステップＳ１５２）。印刷が終了すると（Ｓ１５３／Ｙｅｓ）、印刷処理は終了となる。
【００６４】
次に、本発明に係る他の実施形態を、図１６、図１７を用いて説明する。
【００６５】
図１６には、本発明に係る実施形態であるカメラメモ情報の印刷例を示す。図１７は、本発明に係る実施形態の動作を示したフロー図である。
【００６６】
図１６のOSD画面表示例は、静止画ファイルの表示とカメラメモ情報の表示から構成されている。本実施形態では、静止画ファイルに重なってカメラメモ情報を添付している。図１６の着色部分は、静止画ファイルが表示されている部分である。
【００６７】
次に図１７のフロー図で説明する。印刷処理が開始されると、カメラメモ有り／無しの判定が行われ（ステップＳ１０１）、カメラメモが有る場合は（ステップＳ１０１／Ｙｅｓ）、図５に示したような画面で、カメラメモ情報が表示される（ステップＳ１０３）。次にカメラメモ情報と、該当する静止画ファイルを、第１４図の印刷例のように静止画ファイルを重ねて添付し（ステップＳ１７１）、１枚の静止画ファイルとされた後、外部のプリンタ装置に対してダイレクトプリントが実行される（ステップＳ１５２）。印刷が終了すると（Ｓ１５３／Ｙｅｓ）、印刷処理は終了となる。
【００６８】
次に、本発明に係る他の実施形態を、図１８、図１９を用いて説明する。
【００６９】
図１８には、本発明に係る実施形態であるカメラメモ情報の印刷例３７と、静止画ファイル印刷例３８を示す。図１９は、本発明に係る実施形態の動作を示したフロー図である。
【００７０】
本実施形態により、静止画ファイルとカメラメモ情報が続けて別途印刷されるため、図１８のような印刷例となる。すなわち、カメラメモ情報のみを印刷（図１０参照）したあと、当該静止画像のみの印刷がされる。
【００７１】
次に図１９のフロー図で説明する。印刷処理が開始されると、カメラメモ有り／無しの判定が行われ（ステップＳ１０１）、カメラメモが有る場合は（ステップＳ１０１／Ｙｅｓ）、図５に示したような画面で、カメラメモ情報が表示される（ステップＳ１０３）。次に表示されたカメラメモ情報を外部のプリンタ装置２１に対してダイレクトプリントを実行する（ステップＳ１９１）。印刷が終了したら（ステップＳ１５２／Ｙｅｓ）、該当する静止画ファイルを展開し（ステップＳ１９２）、外部のプリンタ装置２１に対してダイレクトプリントを実行する（Ｓ１９３）。印刷が終了すると（Ｓ１９４／Ｙｅｓ）、印刷処理は終了となる。
【００７２】
次に、本発明に係る他の実施形態を、図２０、図２１を用いて説明する。
【００７３】
図２０には、本発明に係る実施形態である複数のカメラメモ情報のインデックス印刷例を示す。図２１は、本発明に係る実施形態の動作を示したフロー図である。
【００７４】
本発明により、複数のカメラメモ情報が図２０のようにインデックスとして印刷される。
【００７５】
次に図２１のフロー図で説明する。印刷処理が開始されると、カメラメモ有り／無しの判定が行われ（ステップＳ１０１）、カメラメモが有る場合は（ステップＳ１０１／Ｙｅｓ）、図２０に示したような画面で、カメラメモ情報が表示される（ステップＳ１２１）。次に印刷対象の静止画ファイルが終了したか判定し、終了していない場合（ステップＳ１２２／Ｙｅｓ）、カメラメモ有り／無しの判定（ステップＳ１０１）から処理を繰り返す。繰り返した結果、複数の静止画ファイルと複数のカメラメモ情報が有る場合は（ステップＳ１２３／Ｙｅｓ）、第９図に示したようなカメラメモ情報のインデックスを作成する（ステップＳ１２４）。次に作成したインデックスと印刷対象の静止画ファイルを、外部のプリンタ装置２１に対してダイレクトプリントを実行する（ステップＳ１２５）。印刷が終了したら、印刷処理は終了となる。
【００７６】
次に、本発明に係る他の実施形態を、図２２、図２３、図２４を用いて説明する。
【００７７】
図２２及び図２３には、再生されている静止画ファイルと、静止画ファイルのヘッダーに格納されているカメラメモ情報の表示のインデックス印刷例を示す。図２２には、静止画ファイルとカメラメモ情報が重なっている場合、図２３には静止画ファイルとカメラメモ情報が重なっていない場合のインデックス印刷例を示す。図５のOSD画面表示で、例えば複数の静止画ファイルを印刷する場合、本処理を実行する。図２４は、本発明に係る実施形態の動作を示したフロー図である。
【００７８】
次に図２４のフロー図で説明する。印刷処理が開始されると、カメラメモ有り／無しの判定が行われ（ステップＳ１０１）、カメラメモが有る場合は（ステップＳ１０１／Ｙｅｓ）、図２２及び図２３に示したようなテキストフォーマットで、カメラメモデータが表示される（ステップＳ１０３）。次にカメラメモ情報と、該当する静止画ファイルを、図２２若しくは図２３の印刷例のように静止画ファイルの画像部に合成し（ステップＳ２４１）、１枚の静止画ファイルとする。次に印刷対象の静止画ファイルが終了したか判定し（ステップＳ２１１）、終了していない場合は（ステップＳ２１１／Ｙｅｓ）、カメラメモ有り／無しの判定（ステップＳ１０１）から処理を繰り返すことが出来る。繰り返した結果、複数の静止画ファイルと複数のカメラメモ情報が有る場合は、図２２若しくは図２３に示したようなカメラメモ情報と静止画ファイルのインデックス情報を作成する。次に表示したカメラメモ情報を外部のプリンタ装置２１に対してダイレクトプリントを実行する（ステップＳ２４２）。印刷が終了したら（Ｓ２４３／Ｙｅｓ）、印刷処理は終了となる。
【図面の簡単な説明】
【００７９】
【図１】本発明の一実施形態全体のブロック図である。
【図２】本発明の一実施形態のソフト構成のブロック図である。
【図３】本発明の一実施形態のソフト構成のブロック図である。
【図４】本発明の一実施形態のフォーマット図である。
【図５】本発明の実施形態の画面表示例の図である。
【図６】本発明の実施形態の画面表示例の図である。
【図７】本発明の実施形態の画面表示例の図である。
【図８】本発明の実施形態の画面表示例の図である。
【図９】本発明の実施形態の印刷例の図である。
【図１０】本発明の実施形態の動作を表すフロー図である。
【図１１】本発明の実施形態の動作を表すフロー図である。
【図１２】本発明の実施形態の動作を表すフロー図である。
【図１３】本発明の実施形態の動作を表すフロー図である。
【図１４】本発明の実施形態の印刷例の図である。
【図１５】本発明の実施形態の動作を表すフロー図である。
【図１６】本発明の実施形態の印刷例の図である。
【図１７】本発明の実施形態の動作を表すフロー図である。
【図１８】本発明の実施形態の印刷例の図である。
【図１９】本発明の実施形態の動作を表すフロー図である。
【図２０】本発明の実施形態の印刷例の図である。
【図２１】本発明の実施形態の動作を表すフロー図である。
【図２２】本発明の実施形態の印刷例の図である。
【図２３】本発明の実施形態の印刷例の図である。
【図２４】本発明の実施形態の動作を表すフロー図である。
【符号の説明】
【００８０】
１    SYSTEM  BUS
２    CPU
３    PROM
４    RAM
５    内蔵MEMORY
６    KEY  I/F
７    ハードKEY
８    カメラ制御部
９    カメラ部
１０    画像制御部
１１    LCD
１２    画像伸縮圧縮制御部
１３    USB  I/F制御部
１４    USBケーブル
１５    CF制御部
１６    CF  I/F
１７    通信カード
１８    SD制御部
１９    SD  I/F
２０    SDカード
２１    プリンタ装置
２２    デジタルカメラ装置
２３・２７    アプリケーション
２４・２８    DPSアプリケーション
２５・２９    PTPトランスポート
２６・３０    USBドライバー
３１    BIPクライアント
３２    Bluetoothプロトコル
３３    CFドライバー
３４    BIPサーバ
３５    Bluetoothプロトコル
３６    Bluetoothドライバー
３７    カメラメモ情報印刷例
３８    静止画ファイル印刷例
【図１】
2006254125.tif 000003
【図２】
2006254125.tif 000004
【図３】
2006254125.tif 000005
【図４】
2006254125.tif 000006
【図５】
2006254125.tif 000007
【図６】
2006254125.tif 000008
【図７】
2006254125.tif 000009
【図８】
2006254125.tif 000010
【図９】
2006254125.tif 000011
【図１０】
2006254125.tif 000012
【図１１】
2006254125.tif 000013
【図１２】
2006254125.tif 000014
【図１３】
2006254125.tif 000015
【図１４】
2006254125.tif 000016
【図１５】
2006254125.tif 000017
【図１６】
2006254125.tif 000018
【図１７】
2006254125.tif 000019
【図１８】
2006254125.tif 000020
【図１９】
2006254125.tif 000021
【図２０】
2006254125.tif 000022
【図２１】
2006254125.tif 000023
【図２２】
2006254125.tif 000024
【図２３】
2006254125.tif 000025
【図２４】
2006254125.tif 000026